(57)【特許請求の範囲】
【請求項１】
電動モータの回転駆動によって、昇降式カーテンに連結された昇降コードを巻取り又は巻解きして昇降式カーテンを上下に開閉させるカーテン昇降装置で用いられるリミットスイッチ装置において、
昇降コードを緊張させたまま垂下させるガイドローラーと、
昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させる上昇用リミットスイッチと、
昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる下降用リミットスイッチとを有しており、
さらに、上昇用リミットスイッチの作動片の回転軸及び下降用リミットスイッチの作動片の回転軸がカーテン昇降装置の延設長さ方向に対して直交しており、
上昇用リミットスイッチの作動片の回転軸及び下降用リミットスイッチの作動片の回転軸が平行に設けられていることを特徴とする電動昇降式カーテンのリミットスイッチ装置。
【請求項２】
下降用リミットスイッチの作動片が上昇用リミットスイッチの作動片の上方に重ねて配置されており、
上昇用リミットスイッチの作動片及び下降用リミットスイッチの作動片には、垂下する昇降コードを挿通させるコード挿通孔が上下に連続して設けられていることを特徴とする前掲請求項１に記載の電動昇降式カーテンのリミットスイッチ装置。
【請求項３】
上昇用リミットスイッチの作動片の先端部及び下降用リミットスイッチの作動片の先端部が、それら作動片の回転軸方向に並べて配置されることを特徴とする前掲請求項１または請求項２の何れかに記載の電動昇降式カーテンのリミットスイッチ装置。
【請求項４】
電動モータの回転駆動によって、昇降式カーテンに連結された昇降コードを巻取り又は巻解きして昇降式カーテンを上下に開閉させるカーテン昇降装置で用いられるリミットスイッチ装置において、
昇降コードを緊張させたまま垂下させるガイドローラーと、
昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させ、
且つ、昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる昇降兼用リミットスイッチとを有することを特徴とする電動昇降式カーテンのリミットスイッチ装置。
【発明の詳細な説明】
【技術分野】
【０００１】
本発明は、電動モータの回転駆動によって昇降式カーテンを上下に開閉させるカーテン昇降装置で用いられるリミットスイッチ装置に関するものである。
【背景技術】
【０００２】
本発明でいう昇降式カーテンとは、例えば、ローマンシェードのように、通常のカーテンと同じような生地がそのまま使用され、生地が上下に開閉するタイプを指す。これらは、装飾性が高く、ヒダや、ギャザーの取り方や、ウェーブの感覚といったスタイルも豊富で、近年人気が高まっている。
【０００３】
このような昇降式カーテンでは、昇降コードや、上下に等間隔で配置される複数のリングテープが、カーテン地の裏面に縫合されており、その昇降コードが巻取りドラムに巻き取られると、それら複数のリングテープが下から順に上昇し、カーテン生地が下から順番に畳み上げられる。
【０００４】
近年、電動モータによって、巻取りドラムを回転駆動させる電動昇降式カーテンが普及してきており、それに伴って、カーテン昇降装置の破損や故障を未然に防ぐために、カーテン地の上昇限界および下降限界において電動モータの回転を自動で停止させるリミットスイッチ装置が開示されている。例えば、特許文献１では、電動ブラインドにおいて、複数のスラットの上昇限界で最上のスラットとの接触によって上昇停止動作をさせる上昇用リミットスイッチと、下降限界および下降の途中でスラットと障害物との接触による昇降コードの弛みによって下降停止動作をさせる下降用リミットスイッチとを併用したリミットスイッチ装置が開示されている。
【０００５】
また、電動モータが小型化するにつれて、カーテン昇降装置の小型化が要求されてきており、そうした中で、リミットスイッチ装置についても小型化、或いは、カーテン昇降装置に内蔵される場合には省スペース化が望まれている。しかしながら、従来のリミットスイッチ装置では、上昇用リミットスイッチと下降用リミットスイッチとが、それぞれの動作安定性や、信頼性を保証する為に、それぞれに最適となる別々の方向に作動し、それによって別々に離れて配置せざるを得ず、そのために集積性が低く、リミットスイッチ装置全体が小型化、或いは、省スペース化ができないという問題があった。
【０００６】
【特許文献１】特許第２５７７１４３号公報
【発明の開示】
【発明が解決しようとする課題】
【０００７】
そこで本発明に係るリミットスイッチ装置では、上昇用リミットスイッチと下降用リミットスイッチとをコンパクトに配置し、リミットスイッチ装置全体を小型化（省スペース化）することを目的とする。
【課題を解決するための手段】
【０００８】
上記の課題を解決するために、本発明に係る電動昇降式カーテンのリミットスイッチ装置は、電動モータの回転駆動によって、昇降式カーテンに連結された昇降コードを巻取り又は巻解きして昇降式カーテンを上下に開閉させるカーテン昇降装置で用いられるリミットスイッチ装置において、昇降コードを緊張させたまま垂下させるガイドローラーと、昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させる上昇用リミットスイッチと、昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる下降用リミットスイッチとを有しており、さらに、上昇用リミットスイッチの作動片の回転軸及び下降用リミットスイッチの作動片の回転軸がカーテン昇降装置の延設長さ方向に対して直交しており、上昇用リミットスイッチの作動片の回転軸及び下降用リミットスイッチの作動片の回転軸が平行に設けられていることを第１の特徴とする。
【０００９】
さらに、本発明に係る電動昇降式カーテンのリミットスイッチ装置は、前記第１の特徴に加えて、下降用リミットスイッチの作動片が上昇用リミットスイッチの作動片の上方に重ねて配置されており、上昇用リミットスイッチの作動片及び下降用リミットスイッチの作動片には、垂下する昇降コードを挿通させるコード挿通孔が上下に連続して設けられていることを第２の特徴とする。
【００１０】
さらに、本発明に係る電動昇降式カーテンのリミットスイッチ装置は、前記第１および第２の特徴に加えて、上昇用リミットスイッチの作動片の先端部及び下降用リミットスイッチの作動片の先端部が、それら作動片の回転軸方向に並べて配置されることを第３の特徴とする。
【００１１】
さらに、本発明に係る電動昇降式カーテンのリミットスイッチ装置は、電動モータの回転駆動によって、昇降式カーテンに連結された昇降コードを巻取り又は巻解きして昇降式カーテンを上下に開閉させるカーテン昇降装置で用いられるリミットスイッチ装置において、昇降コードを緊張させたまま垂下させるガイドローラーと、昇降式カーテンを上昇限界位置まで上昇させた時に、その作動片が昇降式カーテン又は昇降式カーテンに連結されて上昇する部材によって押し上げられることによって、そのマイクロスイッチを動作させ、電動モータを停止させ、且つ、昇降式カーテンを下降限界位置まで下降させた時、又は、下降途中で昇降式カーテン又は昇降式カーテンに連結されて下降する部材が障害物に当たった時に、その作動片が昇降コードに弛みが生じることによって、そのマイクロスイッチを動作させ、電動モータを停止させる昇降兼用リミットスッチとを有することを第４の特徴とする。
【発明の効果】
【００１２】
本発明に係る電動昇降式カーテンのリミットスイッチ装置によれば、上昇用リミットスイッチの作動片の回転軸と下降用リミットスイッチの作動片の回転軸を平行に設けることと、上昇用リミットスイッチの作動片の上方に下降用リミットスイッチの作動片を重ねて配置させることによって、作動片の集積性を高くし、リミットスイッチ装置全体を小型化（省スペース化）することができる。
【００１３】
さらに、本発明に係る電動昇降式カーテンのリミットスイッチ装置によれば、上昇用リミットスイッチの作動片の先端部と下降用リミットスイッチの作動片の先端部をそれら作動片の回転軸の方向に並べて配置させることによって、リミットスイッチ装置全体を更に小型化（省スペース化）することができる。
【００１４】
さらに、上昇用リミットスイッチと下降用リミットスイッチとを共通化した１つの昇降兼用スイッチを設けることによって、作動片の先端部や、マイクロスイッチを１つに集約でき、更なる小型化（省スペース化）とコストダウンが可能となる。
【発明を実施するための最良の形態】
【００１５】
図１には本発明を実施したカーテン昇降装置１の斜視図を示す。カーテン昇降装置１では、ヘッドボックス２の内部において、回転シャフト７の一端が電動モータ６に連結され、回転シャフト７には巻取りドラム８が一体に回転するように連結される。さらに、巻取りドラム８には昇降コード４の上端が固定されており、電動モータ６を正転あるいは逆転させることにより、巻取りドラム８によって昇降コード４が巻取りあるいは巻解きされる。
【００１６】
一方、カーテン昇降装置１で使用されるカーテン地３は、その裏面において、上下に等間隔で複数のリングテープ５が縫合されており、昇降コード４が、それらの複数のリングテープ５を上下方向に挿通し、カーテン地３の下端に固定される。これによって、昇降コード４が巻取りドラム８によって巻取られると、リングテープ５が下から順番に一つ上のリングテープを玉突きの如く押し上げながら上昇することによって、カーテン地３は下から順番に畳まれながら上昇する。また、昇降コード４が巻取りドラム８によって巻解かれると、カーテン地３は、畳まれた部分を下方から順番に広げながら下降する。
【００１７】
図２には本発明に係るリミットスイッチ装置１０を下方から見た斜視図を示す。図３には本発明に係るリミットスイッチ装置１０をカーテン昇降装置１から外した状態で上方から見た図を示す。図４および図７には図３におけるＸ−Ｘ断面図を示す。図５および図６には図３におけるＹ−Ｙ断面図を示す。
【００１８】
まず、リミットスイッチ装置１０の構造について説明する。リミットスイッチ装置１０は、主な構成として、スイッチケース１１と、上昇用リミットスイッチ１６ｕと、下降用リミットスイッチ１６ｄと、第１ガイドローラー１２と、第２ガイドローラー１３から構成されており、カーテン昇降装置１の下部において、スイッチケース１１がヘッドボックス２の底面に取付けられる。また、第１ガイドローラー１２及び第２ガイドローラー１３は、カーテン昇降装置１の延設長さ方向に対して直交する方向（図３のＺ方向）に回転可能に軸支されており、昇降コード４は巻取りドラム８から第１ガイドローラー１２の下方、第２ガイドローラー１３の上方を通って、カーテン地３の方向に垂下する。さらに、昇降コード４を緊張させたままで巻取り又は巻解きする為に、それぞれのガイドローラーの表面にはスリップ防止用の凹凸が刻設されている。
【００１９】
上昇用リミットスイッチ１６ｕは、マイクロスイッチ１４ｕと、プラスティック製の作動片１５ｕから構成されており、作動片１５ｕには、マイクロスイッチ１４ｕに対して押動可能に接触する先端部２２ｕと、スイッチケース１１の下方に向けて突出した動作部２３ｕと、垂下する昇降コード４が挿通する為のコード挿通孔２４ｕが設けられている。さらに、作動片１５ｕは、カーテン昇降装置１の延設長さ方向に対して直交する方向（図３のＺ方向）に貫通された金属製のピンからなる回転軸２１ｕに外嵌されており、動作部２３ｕに下から上に押し上げる付勢力（図６の大きい方の矢印の方向）が加わると、回転軸２１ｕを中心に図５において時計回りに回転し、先端部２２ｕがマイクロスイッチ１４ｕを押し込む（図６の状態）。この付勢力がなくなると、回転軸２１ｕを中心に図６における反時計回りに回転し、元の位置に戻る（図５の状態）。このとき、作動片１５ｕの戻り動作を補助する為に、バネ部材を設けたり、先端部２２ｕ側に適当な錘を付けたりしても良い。
【００２０】
下降用リミットスイッチ１６ｄは、マイクロスイッチ１４ｄと、プラスティック製の作動片１５ｄから構成されており、作動片１５ｄには、マイクロスイッチ１４ｄに対して押動可能に接触する先端部２２ｄと、第２ガイドローラー１３に連結された動作部２３ｄと、垂下する昇降コード４が挿通するためにコード挿通孔２４ｄが設けられている。このとき、部品点数を少なくする為に、第２ガイドローラー１３そのものを動作部２３ｄとしてもよい。さらに、作動片１５ｄは、カーテン昇降装置１の延設長さ方向に対して直交する方向（図３のＺ方向）に貫通された金属製のピンからなる回転軸２１ｄに外嵌されており、昇降コード４が緊張されたままで垂下すると、昇降コード４の張力によって、動作部２３ｄに上から下に引き下げる付勢力（図４の矢印の方向）が働き、回転軸２１ｄを中心に図４において時計回りに回転し、先端部２２ｄがマイクロスイッチ１４ｄを押し込む（図４の状態）。昇降コード４に弛みが生じると、回転軸２１ｄを中心に図４において反時計回りに回転し、元の位置に戻る（図７の状態）。このとき、作動片１５ｕの戻り動作を補助する為に、バネ部材を設けたり、先端部２２ｄ側に適当な錘を付けたりしても良い。
【００２１】
また、作動片１５ｄは、作動片１５ｕの上方に重ねて配置されており、コード挿通孔２４ｄとコード挿通孔２４ｕが上下に連続して設けられており、さらに、先端部２２ｕと先端部２２ｄが回転軸２１ｕ（回転軸２１ｄ）の方向（図３のＺ方向）に並べて配置されている。
【００２２】
次に、カーテン地３の昇降動作に伴う上昇用リミットスイッチ１６ｕおよび下降用リミットスイッチ１６ｄの動作について説明する。
【００２３】
カーテンの上昇動作（電動モータ６がＯＮ）において、その上限限界位置まで巻取りが続けられると、最上のリングテープ５ａが動作部２３ｕを下から上に押し上げる。これによって、前述の通り、作動片１５ｕが回転軸２１ｕを中心に回転し、先端部２２ｕがマイクロスイッチ１４ｕを押し込む。このとき、カーテンの昇降動作を停止（電動モータ６をＯＦＦ）させるスイッチ動作が起こる。
【００２４】
カーテンの下降動作（電動モータ６がＯＮ）において、その下降限界位置まで巻解きが続けられると、昇降コード４に弛みが生じる。これによって、前述の通り、作動片１５ｄが回転軸２１ｄを中心に回転し、先端部２２ｄがマイクロスイッチ１４ｄを押し込まない位置に戻る。このとき、カーテンの昇降動作を停止（電動モータ６をＯＦＦ）させるスイッチ動作が起こる。同様に、カーテン地３又はカーテン地の下端に設けたウエイトバー等が障害物に当たって昇降コード４に弛みが生じた時においても、カーテンの昇降動作を停止（電動モータ６をＯＦＦ）させるスイッチ動作が起こる。
【００２５】
このように本発明に係る電動昇降式のリミットスイッチ装置１０では、回転軸２１ｕと回転軸２１ｄが平行に設けられ、作動片１５ｄが作動片１５ｕの上方に重ねて配置され、コード挿通孔２４ｕとコード挿通孔２４ｄが上下に連続して設けられ、先端部２２ｕと先端部２２ｄが並べて配置されることで、作動片１５ｕと作動片１５ｄが非常に高集積化されて配置されることと、それぞれの回転動作に必要なスペースの一部を共有することができることから、リミットスイッチ装置全体が小型化（省スペース化）することができる。
【００２６】
図８には本発明に係るリミットスイッチ装置１０の他の実施形態をカーテン昇降装置から外した状態で上方から見た図を示す。図９〜図１１には図８におけるＸ−Ｘ断面図を示す。
【００２７】
まず、リミットスイッチ装置１０の構造について説明する。リミットスイッチ装置１０は、スイッチケース１１と、昇降兼用リミットスイッチ１６と、第１ガイドローラー１２と、第２ガイドローラー１３から構成されており、第１ガイドローラー１２および第２ガイドローラー１３は、カーテン昇降装置１の延設長さ方向に対して直交する方向（図８のＺ方向）に回転可能に軸支されており、昇降コード４は巻取りドラム８から第１ガイドローラー１２の下方、第２ガイドローラー１３の上方を通って、カーテン地３の方向に垂下する。さらに、昇降コード４を緊張させたままで巻取り又は巻解きする為に、それぞれのガイドローラーの表面にはスリップ防止用の凹凸が刻設されている。
【００２８】
昇降兼用リミットスイッチ１６は、マイクロスイッチ１４と、プラスティック製の作動片１５から構成されており、作動片１５には、マイクロスイッチ１４に対して押動可能に接触する先端部３２と、スイッチケース１１の下方に向けて突出した動作部３３ｕと、第２ガイドローラー１３に連結された動作部３３ｄと、垂下する昇降コード４が挿通する為のコード挿通孔３４が設けられている。さらに、作動片１５は、カーテン昇降装置１の延設長さ方向に対して直交する方向（図８のＺ方向）に貫通された金属製のピンからなる回転軸３１に外嵌されており、昇降コード４が緊張されたままで垂下すると、昇降コード４の張力によって、動作部３３ｄに上から下に引き下げる付勢力（図９の矢印の方向）が働き、回転軸３１を中心に図９において時計回りに回転し、先端部３２がマイクロスイッチ１４を押し込む（図９の状態）。この状態で、動作部３３ｕに下から上に押し上げる付勢力（図１０の大きい方の矢印の方向）が加わると、回転軸３１を中心に図９において反時計回りに回転し、先端部３２がマイクロスイッチ１４を押し込まなくなる（図１０の状態）。また、昇降コード４に弛みが生じると、動作部３３ｄに上から下に引き下げる付勢力が働かなくなり、回転軸３１を中心に図９において反時計回りに回転し、先端部３２がマイクロスイッチ１４を押し込まなくなる戻り動作が起こる（図１１の状態）。このとき、作動片１５の戻り動作を補助する為に、バネ部材を設けたり、回転軸３１に対して先端部３２とは反対側に適当な錘を付けたりしても良い。
【００２９】
次に、昇降兼用リミットスイッチ１６の動作について説明する。
【００３０】
カーテンの上昇動作（電動モータ６がＯＮ）において、その上限限界位置まで巻取りが続けられると、最上のリングテープ５ａが動作部３３ｕを下から上に押し上げる。これによって、前述の通り、作動片１５が回転軸３１を中心に回転し、先端部３２がマイクロスイッチ１４を押し込まなくなる。このとき、カーテンの昇降動作を停止（電動モータ６をＯＦＦ）させるスイッチ動作が起こる。
【００３１】
カーテンの下降動作（電動モータ６がＯＮ）において、その下降限界位置まで巻解きが続けられると、昇降コード４に弛みが生じる。これによって、前述の通り、作動片１５が回転軸３１を中心に回転し、先端部３２がマイクロスイッチ１４を押し込まない位置に戻る。このとき、カーテンの昇降動作を停止（電動モータ６をＯＦＦ）させるスイッチ動作が起こる。同様に、カーテン地３又はカーテン地３の下端に設けたウエイトバー等の部材が障害物に当たって昇降コード４に弛みが生じた時においても、カーテンの昇降動作を停止（電動モータ６をＯＦＦ）させるスイッチ動作が起こる。
【００３２】
このように本発明に係る電動昇降式のリミットスイッチ装置１０では、上昇用のリミットスイッチと下降用のリミットスイッチを共通化した１つの昇降兼用リミットスイッチ１６を設けることによって、作動片１５の先端部３２や、マイクロスイッチ１４を１つに集約でき、更なる小型化（省スペース化）とコストダウンが可能となる。
【図面の簡単な説明】
【００３３】
【図１】本発明を実施したカーテン昇降装置１の斜視図である。
【図２】本発明に係るリミットスイッチ装置１０を下方から見た斜視図である。
【図３】本発明に係るリミットスイッチ装置１０を上方から見た図である。
【図４】図３におけるＸ−Ｘ断面図である。（電動モータがＯＮの時の状態）
【図５】図３におけるＹ−Ｙ断面図である。（電動モータがＯＮの時の状態）
【図６】図３におけるＹ−Ｙ断面図である。（電動モータをＯＦＦさせる時の状態）
【図７】図３におけるＸ−Ｘ断面図である。（電動モータをＯＦＦさせる時の状態）
【図８】本発明に係るリミットスイッチ装置１０の他の実施形態を上方から見た図である。
【図９】図８におけるＸ−Ｘ断面図である。（電動モータがＯＮの時の状態）
【図１０】図８におけるＸ−Ｘ断面図である。（電動モータをＯＦＦさせる時の状態）
【図１１】図８におけるＸ−Ｘ断面図である。（電動モータをＯＦＦさせる時の状態）
【符号の説明】
【００３４】
１：カーテン昇降装置
２：ヘッドボックス
３：カーテン地
４：昇降コード
５：リングテープ
６：電動モータ
７：回転シャフト
８：巻取りドラム
１０：リミットスイッチ装置
１１：スイッチケース
１２：第１ガイドローラー
１３：第２ガイドローラー
１４ｕ（１４ｄ・１４）：マイクロスイッチ
１５ｕ（１５ｄ・１５）：作動片
１６ｕ（１６ｄ・１６）：上昇用リミットスイッチ（下降用リミットスイッチ・昇降兼用リミットスイッチ）  
２１ｕ（２１ｄ・３１）：回転軸
２２ｕ（２２ｄ・３２）：先端部
２３ｕ（２３ｄ・３３ｕ・３３ｄ）：動作部
２４ｕ（２４ｄ・３４）：コード挿通孔
【図１】
0004404842.tif 000002
【図２】
0004404842.tif 000003
【図３】
0004404842.tif 000004
【図４】
0004404842.tif 000005
【図５】
0004404842.tif 000006
【図６】
0004404842.tif 000007
【図７】
0004404842.tif 000008
【図８】
0004404842.tif 000009
【図９】
0004404842.tif 000010
【図１０】
0004404842.tif 000011
【図１１】
0004404842.tif 000012